(57)【要約】【課題】浴槽湯水加熱用熱交換器の漏れ異常を検出する。【解決手段】加熱手段５にて加熱された給湯用湯水を浴槽湯水加熱用熱交換器７に供給したのち、その給湯用湯水を加熱手段５に戻す形態で熱源用循環路４を通して給湯用湯水を循環させる熱源循環手段３１と、浴槽湯水を浴槽湯水加熱用熱交換器７と浴槽１８との間で風呂循環路１９，２０を通して循環させる風呂循環手段４９と、運転を制御する運転制御手段とが設けられ、浴槽湯水加熱用熱交換器７において、給湯用湯水により浴槽湯水を加熱させるように構成され、運転制御手段は、浴槽湯水加熱用熱交換器７の漏れ異常検出タイミングにおいて、風呂循環路１９，２０に設けられて浴槽湯水または風呂循環路１９，２０内の湯水の水位を検出する水位検出手段５０による検出値の変化情報に基づいて、浴槽湯水加熱用熱交換器７の漏れ異常を判別するように構成されている。【選択図】        図１
2004251592.tif 000002
【特許請求の範囲】
【請求項１】
加熱手段にて加熱された給湯用湯水を浴槽湯水加熱用熱交換器に供給したのち、その給湯用湯水を加熱手段に戻す形態で熱源用循環路を通して給湯用湯水を循環させる熱源循環手段と、浴槽湯水を前記浴槽湯水加熱用熱交換器と浴槽との間で風呂循環路を通して循環させる風呂循環手段と、運転を制御する運転制御手段とが設けられ、
前記浴槽湯水加熱用熱交換器において、給湯用湯水により浴槽湯水を加熱させるように構成されている熱源装置であって、
前記運転制御手段は、前記浴槽湯水加熱用熱交換器の漏れ異常検出タイミングにおいて、前記風呂循環路に設けられて浴槽湯水または前記風呂循環路内の湯水の水位を検出する水位検出手段による検出値の変化情報に基づいて、前記浴槽湯水加熱用熱交換器の漏れ異常を判別するように構成されている熱源装置。
【請求項２】
前記運転制御手段は、浴槽に湯水を供給する浴槽湯水供給手段の作動中に、その浴槽湯水供給手段の作動を停止させたときを、前記漏れ異常検出タイミングとして設定するように構成されている請求項１に記載の熱源装置。
【請求項３】
前記運転制御手段が、前記漏れ異常検出タイミングにおいて、前記水位検出手段による検出値の変化が検出されかつその検出値の変化速度が設定速度よりも速ければ、前記浴槽湯水加熱用熱交換器の漏れ異常と判別するように構成されている請求項１または２に記載の熱源装置。
【請求項４】
前記運転制御手段が、前記漏れ異常検出タイミングにおいて、前記水位検出手段による検出値の変化が連続して検出されかつその検出値の変化速度が設定速度よりも速ければ、前記浴槽湯水加熱用熱交換器の漏れ異常と判別するように構成されている請求項１または２に記載の熱源装置。
【請求項５】
前記運転制御手段が、前記漏れ異常検出タイミングにおいて、前記風呂循環手段を運転させたあとの前記水位検出手段による検出値の変化情報に基づいて、前記浴槽湯水加熱用熱交換器の漏れ異常を判別するように構成されている請求項１〜４のいずれか１項に記載の熱源装置。
【請求項６】
加熱手段にて加熱された給湯用湯水を浴槽湯水加熱用熱交換器に供給したのち、その給湯用湯水を加熱手段に戻す形態で熱源用循環路を通して給湯用湯水を循環させる熱源循環手段と、浴槽湯水を前記浴槽湯水加熱用熱交換器と浴槽との間で風呂循環路を通して循環させる風呂循環手段と、運転を制御する運転制御手段とが設けられ、
前記浴槽湯水加熱用熱交換器において、給湯用湯水により浴槽湯水を加熱させるように構成されている熱源装置であって、
前記風呂循環路中に、前記浴槽湯水加熱用熱交換器の漏れによる湯水の流動を検出する漏水検出手段が設けられている熱源装置。
【発明の詳細な説明】
【０００１】
【発明の属する技術分野】
本発明は、加熱手段にて加熱された給湯用湯水を浴槽湯水加熱用熱交換器に供給したのち、その給湯用湯水を加熱手段に戻す形態で熱源用循環路を通して給湯用湯水を循環させる熱源循環手段と、浴槽湯水を前記浴槽湯水加熱用熱交換器と浴槽との間で風呂循環路を通して循環させる風呂循環手段と、運転を制御する運転制御手段とが設けられ、前記浴槽湯水加熱用熱交換器において、給湯用湯水により浴槽湯水を加熱させるように構成されている熱源装置に関する。
【０００２】
【従来の技術】
上記のような熱源装置は、運転制御手段が、熱源循環手段と風呂循環手段とを運転させることにより、熱媒加熱用熱交換器において給湯用湯水にて浴槽湯水を加熱させて、浴槽湯水の追焚きを行うものである。
【０００３】
上記のような熱源装置において、従来では、加熱手段として、熱電併給装置の排熱により加熱させる排熱用熱交換器や、バーナの燃焼により加熱させる補助加熱装置が設けられ、熱源循環手段が、加熱手段にて加熱された給湯用湯水を貯湯タンクに貯湯する貯湯状態と、加熱手段にて加熱された給湯用湯水を浴槽湯水加熱用熱交換器に供給する熱源状態とに切換可能に構成されている。
そして、運転制御手段が、風呂循環手段を運転させるとともに、熱源循環手段を熱源状態にて運転させることにより、浴槽湯水加熱用熱交換器において給湯用湯水にて浴槽湯水を加熱させて、浴槽湯水の追焚きを行うようにしている（例えば、特許文献１参照。）。
【０００４】
【特許文献１】
特開２００１−２４８９０９号公報
【０００５】
【発明が解決しようとする課題】
上記のような熱源装置では、浴槽湯水加熱用熱交換器の破損や腐食によって浴槽湯水加熱用熱交換器の漏れ異常が発生することがあるが、この浴槽湯水加熱用熱交換器の漏れ異常については検出していなかった。
【０００６】
例えば、浴槽を３階に設置している場合には、浴槽と浴槽湯水加熱用熱交換器との高低差により、風呂循環路内の湯水に圧力がかかることになる。
そして、断水していなければ、給湯用湯水に水道圧がかかるので、浴槽湯水加熱用熱交換器において、給湯用湯水よりも風呂循環路内の湯水の方が低圧となるが、断水時には、給湯用湯水に水道圧がかからないので、浴槽湯水加熱用熱交換器において、風呂循環路内の湯水よりも給湯用湯水の方が低圧となることがある。
このようにして、断水時に、浴槽湯水加熱用熱交換器において、風呂循環路内の湯水よりも給湯用湯水の方が低圧となると、風呂循環路内の湯水が熱源用循環路側に流入することになるので、汚れた給湯用湯水が給湯されてしまう虞が生じる。
このような不利を解消するためにも、浴槽湯水加熱用熱交換器の漏れ異常を検出することが求められる。
【０００７】
本発明は、かかる点に着目してなされたものであって、その目的は、浴槽湯水加熱用熱交換器の漏れ異常を検出することができる熱源装置を提供する点にある。
【０００８】
【課題を解決するための手段】
この目的を達成するために、請求項１に記載の発明によれば、加熱手段にて加熱された給湯用湯水を浴槽湯水加熱用熱交換器に供給したのち、その給湯用湯水を加熱手段に戻す形態で熱源用循環路を通して給湯用湯水を循環させる熱源循環手段と、浴槽湯水を前記浴槽湯水加熱用熱交換器と浴槽との間で風呂循環路を通して循環させる風呂循環手段と、運転を制御する運転制御手段とが設けられ、
前記浴槽湯水加熱用熱交換器において、給湯用湯水により浴槽湯水を加熱させるように構成されている熱源装置において、
前記運転制御手段は、前記浴槽湯水加熱用熱交換器の漏れ異常検出タイミングにおいて、前記風呂循環路に設けられて浴槽湯水または前記風呂循環路内の湯水の水位を検出する水位検出手段による検出値の変化情報に基づいて、前記浴槽湯水加熱用熱交換器の漏れ異常を判別するように構成されている。
【０００９】
すなわち、断水していない状態では、浴槽湯水加熱用熱交換器の漏れ異常が発生しても、浴槽湯水加熱用熱交換器において、風呂循環路内の湯水が給湯用湯水よりも低圧となるので、給湯用湯水が風呂循環路側に流入することになる。
そして、断水していない状態で、浴槽に湯水を供給していないときなど、本来、浴槽湯水または風呂循環路内の湯水の水位に変化がないときを、浴槽湯水加熱用熱交換器の漏れ異常検出タイミングと設定している。
【００１０】
浴槽湯水加熱用熱交換器の漏れ異常検出タイミングには、本来、浴槽湯水または風呂循環路内の湯水の水位に変化がないはずであるが、浴槽湯水加熱用熱交換器の漏れ異常が発生すると、給湯用湯水が風呂循環路側に流入することになり、浴槽湯水または風呂循環路内の湯水の水位に変化が生じることになる。
したがって、運転制御手段は、浴槽湯水加熱用熱交換器の漏れ異常検出タイミングにおいて、水位検出手段による検出値の変化情報に基づいて、浴槽湯水加熱用熱交換器の漏れ異常を判別できることになる。
【００１１】
しかも、浴槽湯水の水位が設定水位になるように浴槽に湯水を供給するものでは、予め水位検出手段が風呂循環路に設けられているので、その既設の水位検出手段にて浴槽湯水加熱用熱交換器の漏れ異常を判別することができ、構成の簡素化を図ることもできることになる。
【００１２】
以上のことから、運転制御手段が、浴槽湯水加熱用熱交換器の漏れ異常検出タイミングにおいて、既設の水位検出手段による検出値の変化情報に基づいて、浴槽湯水加熱用熱交換器の漏れ異常を判別することができることとなって、浴槽湯水加熱用熱交換器の漏れ異常を検出することができながら、構成の簡素化を図ることができる熱源装置を提供できるに至った。
【００１３】
請求項２に記載の発明によれば、前記運転制御手段は、浴槽に湯水を供給する浴槽湯水供給手段の作動中に、その浴槽湯水供給手段の作動を停止させたときを、前記漏れ異常検出タイミングとして設定するように構成されている。
【００１４】
すなわち、浴槽湯水供給手段の作動中に、浴槽湯水供給手段の作動を停止させて、浴槽への湯水の供給を停止させることにより、本来、浴槽湯水または風呂循環路内の湯水の水位に変化がないときを現出させることができることになる。
そして、運転制御手段は、浴槽湯水供給手段の作動中に、その浴槽湯水供給手段の作動を停止させたときを、浴槽湯水加熱用熱交換器の漏れ異常検出タイミングと設定するので、浴槽湯水加熱用熱交換器の漏れ異常検出タイミングとして、本来、浴槽湯水または風呂循環路内の湯水の水位に変化がないときを的確に設定することができることになる。
【００１５】
したがって、運転制御手段は、本来、浴槽湯水または風呂循環路内の湯水の水位に変化がないときにおいて、水位検出手段による検出値の変化情報に基づいて、浴槽湯水加熱用熱交換器の漏れ異常を判別できることとなって、浴槽湯水加熱用熱交換器の漏れ異常を的確に検出することができることになる。
【００１６】
請求項３に記載の発明によれば、前記運転制御手段が、前記漏れ異常検出タイミングにおいて、前記水位検出手段による検出値の変化が検出されかつその検出値の変化速度が設定速度よりも速ければ、前記浴槽湯水加熱用熱交換器の漏れ異常と判別するように構成されている。
【００１７】
すなわち、漏れ異常検出タイミングにおいて、風呂循環路の配管から風呂循環経路中への空気の流入や湯水の温度低下が生じることによって、水位検出手段による検出値が変化する場合があるが、このような場合に比べて、浴槽湯水加熱用熱交換器の漏れ異常の場合の方が、水位検出手段による検出値の変化速度は速くなる。
そして、運転制御手段が、漏れ異常検出タイミングにおいて、水位検出手段による検出値に変化があるかに加えて、その水位検出手段による検出値の変化速度が設定速度よりも速いかを監視して、浴槽湯水加熱用熱交換器の漏れ異常を判別しているので、風呂循環経路中への空気の流入や湯水の温度低下により水位検出手段による検出値が変化する場合と区別した状態で、浴槽湯水加熱用熱交換器の漏れ異常を検出することができることとなる。
したがって、浴槽湯水加熱用熱交換器の漏れ異常でないにもかかわらず、浴槽湯水加熱用熱交換器の漏れ異常を検出してしまう誤検出を防止することができることになる。
【００１８】
請求項４に記載の発明によれば、前記運転制御手段が、前記漏れ異常検出タイミングにおいて、前記水位検出手段による検出値の変化が連続して検出されかつその検出値の変化速度が設定速度よりも速ければ、前記浴槽湯水加熱用熱交換器の漏れ異常と判別するように構成されている。
【００１９】
すなわち、請求項３の発明において説明したように、風呂循環路の配管から風呂循環経路中への空気の流入や湯水の温度低下により水位検出手段による検出値が変化する場合に比べて、浴槽湯水加熱用熱交換器の漏れ異常の場合の方が、水位検出手段による検出値の変化速度は速くなる。
また、浴槽湯水加熱用熱交換器の漏れ異常が発生すると、給湯用湯水の風呂循環路側への流入は連続的に生じるので、浴槽湯水加熱用熱交換器の漏れ異常が発生した場合には、水位検出手段による検出値の変化が連続的に生じることになる。
【００２０】
そして、運転制御手段が、漏れ異常検出タイミングにおいて、水位検出手段による検出値に連続して変化があるかに加えて、その水位検出手段による検出値の変化速度が設定速度よりも速いかを監視して、浴槽湯水加熱用熱交換器の漏れ異常を判別しているので、浴槽湯水加熱用熱交換器の漏れ異常とは別の要因によって生じる水位検出手段による検出値の一時的な変化やその変化速度が遅いものと区別しながら、浴槽湯水加熱用熱交換器の漏れ異常を検出することができることになる。
したがって、浴槽湯水加熱用熱交換器の漏れ異常でないにもかかわらず、浴槽湯水加熱用熱交換器の漏れ異常を検出してしまう誤検出を的確に防止することができることになる。
【００２１】
請求項５に記載の発明によれば、前記運転制御手段が、前記漏れ異常検出タイミングにおいて、前記風呂循環手段を運転させたあとの前記水位検出手段による検出値の変化情報に基づいて、前記浴槽湯水加熱用熱交換器の漏れ異常を判別するように構成されている。
【００２２】
すなわち、運転制御手段が、漏れ異常検出タイミングにおいて、風呂循環手段を運転させたあとの水位検出手段による検出値の変化情報に基づいて、浴槽湯水加熱用熱交換器の漏れ異常を判別することにより、風呂循環手段を運転させたあとの外乱を除いた状態で、浴槽湯水加熱用熱交換器の漏れ異常を判別できることになり、浴槽湯水加熱用熱交換器の漏れ異常を的確に検出できることになる。
【００２３】
また、例えば、浴槽が浴槽湯水加熱用熱交換器よりも高い位置に設置され、浴槽に湯水がない状態で、風呂循環路内に湯水が存在する場合には、浴槽湯水加熱用熱交換器の漏れ異常によって給湯用湯水が風呂循環路側に流入することにより、水位検出手段による検出値に変化が生じてもその変化が小さいことがある。
このような場合には、運転制御手段が風呂循環手段を運転させることにより、風呂循環路内に存在する湯水を浴槽内に排出して、風呂循環路内に存在する湯水の量を少なくできることになる。
そして、風呂循環路内に存在する湯水の量を少なくした状態では、浴槽湯水加熱用熱交換器の漏れ異常によって給湯用湯水が風呂循環路側に流入すると、水位検出手段による検出値に大きな変化が生じることになる。
【００２４】
したがって、運転制御手段が、漏れ異常検出タイミングにおいて、風呂循環手段を運転させることにより、風呂循環路内に存在する湯水の量を少なくした状態において、水位検出手段による検出値の変化情報に基づいて、浴槽湯水加熱用熱交換器の漏れ異常を判別することによって、浴槽湯水加熱用熱交換器の漏れ異常を的確に検出できることになる。
【００２５】
請求項６に記載の発明によれば、加熱手段にて加熱された給湯用湯水を浴槽湯水加熱用熱交換器に供給したのち、その給湯用湯水を加熱手段に戻す形態で熱源用循環路を通して給湯用湯水を循環させる熱源循環手段と、浴槽湯水を前記浴槽湯水加熱用熱交換器と浴槽との間で風呂循環路を通して循環させる風呂循環手段と、運転を制御する運転制御手段とが設けられ、
前記浴槽湯水加熱用熱交換器において、給湯用湯水により浴槽湯水を加熱させるように構成されている熱源装置であって、
前記風呂循環路中に、前記浴槽湯水加熱用熱交換器の漏れによる湯水の流動を検出する漏水検出手段が設けられている。
【００２６】
すなわち、断水していない状態では、浴槽湯水加熱用熱交換器の漏れ異常が発生しても、浴槽湯水加熱用熱交換器において、風呂循環路内の湯水が給湯用湯水よりも低圧となるので、給湯用湯水が風呂循環路側に流入することになる。
そして、断水していない状態で、浴槽に湯水を供給していないときなど、本来、風呂循環路において湯水の流動がないときに、浴槽湯水加熱用熱交換器の漏れ異常が発生すると、給湯用湯水が風呂循環路側に流入することになり、風呂循環路に湯水の流動が生じることになる。
したがって、運転制御手段は、本来、風呂循環路において湯水の流動がないときに、漏水検出手段により湯水の流動を検出することにより、浴槽湯水加熱用熱交換器の漏れ異常を検出できることとなって、浴槽湯水加熱用熱交換器の漏れ異常を検出することができる熱源装置を提供できるに至った。
【００２７】
【発明の実施の形態】
本発明にかかる熱源装置をコージェネレーションシステムに適応させた例を図面に基づいて説明する。
〔第１実施形態〕
このコージェネレーションシステムは、図１および図２に示すように、ガスエンジンによって発電機を駆動するように構成された熱電併給装置１と、その熱電併給装置１の排熱を利用しながら、貯湯、給湯および暖房を行う貯湯ユニット２と、熱電併給装置１と貯湯ユニット２の運転を制御する運転制御手段としての運転制御部Ｈなどから構成されている。
【００２８】
前記貯湯ユニット２は、給湯用湯水を貯湯する貯湯タンク３、貯湯タンク３内の給湯用湯水を循環するための熱源用循環路４、熱源用循環路４を通流する給湯用湯水を加熱する加熱手段５、熱源用循環路４を通流する給湯用湯水にて端末供給用の熱媒を加熱させる暖房用熱交換器６、熱源用循環路４を通流する給湯用湯水にて浴槽湯水を加熱させる浴槽湯水加熱用熱交換器としての追焚用熱交換器７などから構成されている。
【００２９】
前記貯湯タンク３内には、その湯温を検出することにより貯湯量を検出するサーミスタＳが複数設けられ、貯湯タンク３には、その底部から貯湯タンク３に水道水圧を用いて給水する給水路８が接続され、その上部から給湯するための給湯路９が接続され、使用された量だけの水を給水路８から貯湯タンク３に給水するように構成されている。
ちなみに、給湯路９には、オーバーフロー路５５が接続され、そのオーバーフロー路５５にバキュームブレーカ５６が設けられている。
【００３０】
前記給湯路９には、給水路８から分岐された混合用給水路１０が接続され、その接続箇所に給湯路９からの湯水と混合用給水路１０からの水との混合比を調整自在なミキシングバルブ１１が設けられている。
前記給水路８と混合用給水路１０との分岐箇所には、給水温度を検出する給水サーミスタ１２が設けられている。
【００３１】
また、給湯路９におけるミキシングバルブ１１よりも上流側には、貯湯タンク３の上部から給湯路９に給湯された湯水の温度を検出する貯湯出口サーミスタ１３が設けられ、給湯路９におけるミキシングバルブ１１よりも下流側には、ミキシングバルブ７にて混合された湯水の温度を検出するミキシングサーミスタ１４および流量制御弁１５が設けられている。
【００３２】
前記給湯路９におけるミキシングサーミスタ１４および流量制御弁１５の配設箇所よりも下流側が、台所や洗面所などの図外の給湯栓に給湯する一般給湯路１６と、浴槽１８に湯水を供給するための湯張り路１７とに分岐されている。
そして、湯張り路１７が浴槽１８からの風呂戻り路１９に接続され、風呂戻り路１９および風呂往き路２０の両路を通して浴槽１８に湯水を供給するようにしている。
前記一般給湯路１６には、一般給湯路１６を通流する湯水の流量を検出する給湯流量センサ２１が設けられ、湯張り路１７には、湯張り路１７を通流する湯水の流量を検出する湯張り流量センサ２２、湯張り電磁弁２３、バキュームブレーカ２４、湯張り逆止弁２５が上流側から順に設けられている。
【００３３】
浴槽湯水供給手段としての給湯操作手段Ｋが、貯湯出口サーミスタ１３、給水サーミスタ１２、ミキシングバルブ１１、ミキシングサーミスタ１４、および、湯張り電磁弁２３などにより構成されている。
【００３４】
前記熱源用循環路４と貯湯タンク３とが、熱源用循環路４を通流する給湯用湯水を貯湯タンク３内に戻す、または、貯湯タンク３内の給湯用湯水を熱源用循環路４に取り出すために、貯湯タンク３の上部と底部の合計２箇所で連通接続されている。
そして、貯湯タンク３の上部には、熱源用循環路４の給湯用湯水を貯湯タンク３内に供給するための貯湯路２６が連通接続され、その貯湯路２６には、貯湯開閉弁２７が設けられている。
また、貯湯タンク３の底部には、貯湯タンク３内の給湯用湯水を熱源用循環路４に取り出すための取り出し路２８が連通接続され、その取り出し路１８と熱源用循環路４との接続箇所に三方弁２９が設けられている。
【００３５】
そして、熱源用循環路４には、給湯用湯水の循環方向の順に、熱源用循環路４の湯水の循環量を検出する循環流量センサ３０、循環ポンプ３１、加熱手段５、熱源用循環路４の給湯用湯水の循環量を調整する循環流量調整バルブ３２、加熱手段５にて加熱された給湯用湯水の温度を検出する加熱温サーミスタ３３、給湯用湯水の通流を断続する断続弁３４、暖房用熱交換器６、追焚用熱交換器７が設けられている。
【００３６】
給湯用湯水循環手段Ｅが、熱源用循環路４、循環ポンプ３１、循環流量センサ３０、循環流量調整バルブ３２、加熱温サーミスタ３３、貯湯開閉弁２７、および、断続弁３４などにより構成されている。
そして、給湯用湯水循環手段Ｅは、貯湯タンク３から取り出した給湯用湯水を加熱手段５にて加熱し、その加熱した給湯用湯水を貯湯タンク３に貯湯したり、加熱手段５にて加熱した給湯用湯水を暖房用熱交換器６および追焚用熱交換器７に供給して、暖房用熱交換器６および追焚用熱交換器７を通過した給湯用湯水を加熱手段５に戻すように構成されている。
【００３７】
前記加熱手段５は、熱電併給装置１におけるガスエンジンの冷却水により給湯用湯水を加熱する排熱利用式加熱手段５ａと、バーナの燃焼により給湯用湯水を加熱する補助加熱手段５ｂとから構成されている。
前記排熱利用式加熱手段５ａは、熱電併給装置１の運転中に、冷却水循環ポンプ３５を作動させて、ガスエンジンの冷却水を冷却水循環路３６を通して排熱利用式加熱手段５ａに供給させて、熱源用循環路４を通流する給湯用湯水を加熱するように構成されている。
前記補助加熱手段５ｂは、図示はしないが、ガス燃焼式のバーナおよびこのバーナに燃焼用空気を供給するファンなどが設けられ、バーナの燃焼により熱源用循環路４を通流する給湯用湯水を加熱し、ファンの回転速度およびバーナへの燃料ガス供給量を調整して、補助加熱手段５ｂにて加熱後の給湯用湯水の温度を調整するように構成されている。
【００３８】
前記暖房用熱交換器６には、暖房戻り路３７および暖房往き路３８が接続され、暖房ポンプ３９を作動させることにより、暖房戻り路３７および暖房往き路３８を通して循環する端末供給用の熱媒を通過させて、加熱部４にて加熱された給湯用湯水にて端末供給用の熱媒を加熱させるように構成されている。
【００３９】
前記暖房戻り路３７には、熱媒の循環方向の上流側から順に、暖房戻り路３７の熱媒の温度を検出する暖房戻りサーミスタ４０、大気開放式の膨張タンク４１、暖房ポンプ３９が設けられ、暖房往き路３８には、暖房往き路３７の熱媒の温度を検出する暖房往きサーミスタ４２が設けられている。
また、暖房戻り路３７と暖房往き路３８とが、バイパス路４３にて連通接続されている。
【００４０】
前記暖房ポンプ３９を作動させることにより、膨張タンク４１内の熱媒を暖房用熱交換器６を通過させる状態で暖房往き路３８および暖房戻り路３７を通して端末Ｔに循環供給するように構成されている。
また、端末Ｔは、詳述はしないが、床暖房装置や浴室乾燥暖房装置など供給される熱媒にて暖房を行う暖房端末にて構成されている。
【００４１】
前記膨張タンク４１には、貯留している熱媒の水位の上限を検出する上限センサ４４および下限を検出する下限センサ４５と、膨張タンク４１から熱媒が溢れるオーバーフロー状態の発生を検出するオーバーフローセンサ４６とが設けられている。
また、膨張タンク４１には、給水路８から分岐させて膨張タンク４１に給水するためのタンク給水路４７が接続され、そのタンク給水路４７には、補給水電磁弁４８が設けられている。
そして、下限センサ４５にて熱媒の水位が下限となると、上限センサ４４にて熱媒の水位が上限となるまで補給水電磁弁４８を開弁させて、膨張タンク４１へ熱媒を補給するように構成されている。
【００４２】
暖房操作手段Ｊが、暖房戻りサーミスタ４０、暖房往きサーミスタ４２、暖房ポンプ３９、上限センサ４４、下限センサ４５、オーバーフローセンサ４６、および、補給水電磁弁４８などにより構成されている。
【００４３】
前記追焚用熱交換器７には、風呂戻り路１９および風呂往き路２０が接続され、風呂ポンプ４９を作動させることにより、風呂戻り路１９および風呂往き路２０を通して追焚用熱交換器７と浴槽１８と間で浴槽湯水を循環させて、加熱手段５にて加熱された給湯用湯水にて浴槽湯水を加熱させるように構成されている。
そして、風呂循環路が、風呂戻り路１９と風呂往き路２０とから構成され、風呂循環手段が、風呂ポンプ４９から構成されている。
【００４４】
前記風呂戻り路１９には、浴槽湯水の循環方向の上流側から順に、浴槽湯水または風呂戻り路１９および風呂往き路２０内の湯水の水位を検出する水位検出手段としての水位センサ５０、風呂戻り路１９の湯水の温度を検出する風呂戻りサーミスタ５１、二方弁５２、風呂ポンプ４９、風呂水流スイッチ５３が設けられている。
風呂操作手段Ｆが、水位センサ５０、風呂戻りサーミスタ５１、風呂ポンプ４９などにより構成されている。
【００４５】
前記運転制御部Ｈは、図２に示すように、リモコンＲの指令などに基づいて、熱電併給装置１の運転および冷却水循環ポンプ３５の作動を制御するとともに、給湯用湯水循環手段Ｅ、給湯操作手段Ｋ、風呂操作手段Ｆ、暖房操作手段Ｊ、および、加熱手段５の作動を制御することによって、貯湯タンク３内に給湯用湯水を貯湯する貯湯運転、給湯栓や浴槽１８に所望の湯水を供給する給湯運転、端末Ｔに熱媒を供給する暖房運転、浴槽湯水を追焚きする追焚運転などの夫々の運転を実行するように構成されている。
【００４６】
以下、各運転について説明を加える。
前記貯湯運転は、断続弁３４を開弁させかつ貯湯開閉弁２７を開弁させた状態で、循環ポンプ３１を作動させて、貯湯タンク３の底部から給湯用湯水を熱源用循環路４に取出し、加熱手段５にて所望の温度に加熱したのち、貯湯路２６を通して貯湯タンク３の上部に供給するように構成されている。
そして、この貯湯運転は、熱電併給装置１の運転中に行われ、冷却水循環ポンプ３５の作動により熱電併給装置１の排熱を利用して、排熱利用式加熱手段５ａにて加熱された給湯用湯水を貯湯タンク３に貯湯するように構成されている。
【００４７】
前記給湯運転は、給湯栓が開操作されたり、湯張り要求が指令されると開始され、貯湯タンク３内に貯湯されている給湯用湯水を取り出して、その給湯用湯水に水を混合させて所望の温度の給湯用湯水を給湯栓や浴槽１８に供給するように構成されている。
また、貯湯タンク３内に給湯用湯水が貯湯されていない場合などには、補助加熱手段５ｂにて給湯用湯水を加熱させる状態で上述の貯湯運転を行い、補助加熱手段５ｂにて加熱された給湯用湯水に水を混合させて所望の温度の給湯用湯水を給湯栓や浴槽１８に供給するように構成されている。
【００４８】
前記暖房運転は、循環ポンプ３１を作動させて、加熱手段５にて加熱された給湯用湯水を暖房用熱交換器６を通過させるとともに、暖房ポンプ３９を作動させて、膨張タンク４１内の熱媒を暖房用熱交換器６を通過させる状態で暖房往き路３８および暖房戻り路３７を通して端末Ｔに循環供給するように構成されている。
また、この暖房運転では、加熱温サーミスタ３３の検出温度が、例えば、６５〜７０℃になるように、貯湯開閉弁２７と断続弁３４の開度を調整するようにしている。
【００４９】
そして、この暖房運転では、熱電併給装置１が運転中であると、冷却水循環ポンプ３５の作動により熱電併給装置１の排熱を利用して、排熱利用式加熱手段５ａにて給湯用湯水を加熱させて、その加熱された給湯用湯水を暖房用熱交換器６に供給するように構成されている。
このように熱電併給装置１の排熱を利用している場合には、排熱利用式加熱手段５ａにて給湯用湯水を加熱することにより端末Ｔで要求されている暖房負荷以上を賄うことができると、加熱温サーミスタ３３の検出温度が貯湯設定温度になるように、貯湯開閉弁２７と断続弁３４とを開弁状態で開度調整する。
また、熱電併給装置１が運転されていない場合や、排熱利用式加熱手段５ａにて給湯用湯水を加熱するだけでは端末Ｔで要求されている暖房負荷を賄えない場合には、貯湯開閉弁２７を閉弁しかつ断続弁３４を開弁させ、補助加熱手段５ｂにより給湯用湯水を加熱させて、その加熱された給湯用湯水を暖房用熱交換器６に供給して、端末Ｔで要求されている暖房負荷を賄うように構成されている。
【００５０】
前記追焚運転は、循環ポンプ３１を作動させて、加熱手段５にて加熱された給湯用湯水を追焚用熱交換器７を通過させるとともに、風呂ポンプ４９を作動させて、浴槽１８内の湯水を追焚用熱交換器７を通過させる状態で風呂戻り路１９および風呂往き路２０を通して循環させるように構成されている。
また、この追焚運転では、加熱温サーミスタ３３の検出温度が、例えば、６５〜７０℃になるように、貯湯開閉弁２７と断続弁３４の開度を調整するようにしている。
【００５１】
そして、この追焚運転では、上述の暖房運転と同様に、熱電併給装置１が運転中であると、貯湯開閉弁２７と断続弁３４とを開弁状態で開度調整しながら、冷却水循環ポンプ３５の作動により熱電併給装置１の排熱を利用して排熱式熱交換器５ａにより加熱された給湯用湯水を追焚用熱交換器７に供給し、熱電併給装置１が運転されていない場合などには、貯湯開閉弁２７を閉弁しかつ断続弁３４を開弁させ、補助加熱手段５ｂにて加熱された給湯用湯水を追焚用熱交換器７に供給して、浴槽１８で要求されている追焚負荷を賄うように構成されている。
【００５２】
前記運転制御部Ｈは、追焚用熱交換器７の漏れ異常を検出するように構成されているので、以下、この構成について説明を加える。
前記運転制御部Ｈは、給湯操作手段Ｋの作動中に、その給湯操作手段Ｋの作動を停止させたときを、追焚用熱交換器７の漏れ異常検出タイミングとして設定し、その追焚用熱交換器７の漏れ異常検出タイミングにおいて、水位センサ５０による検出値の変化が連続して検出されかつその検出値の変化速度が設定速度よりも速ければ、追焚用熱交換器７の漏れ異常と判別するように構成されている。
そして、運転制御部Ｈは、追焚用熱交換器７の漏れ異常と判別すると、リモコンＲにて使用者に追焚用熱交換器７の漏れ異常であることを報知するように構成されている。
【００５３】
前記追焚用熱交換器７の漏れ異常か否かの判別について説明を加える。
まず、追焚用熱交換器７の漏れ異常検出タイミングについて説明を加えると、断水していない状態で、本来、浴槽湯水または風呂循環路内の湯水の水位に変化がないときを、追焚用熱交換器７の漏れ異常検出タイミングとしている。
そして、給湯操作手段Ｋの作動中に、その給湯操作手段Ｋの作動を停止させたときは、断水していない状態で、本来、浴槽湯水または風呂循環路内の湯水の水位に変化がないときとすることができるので、浴槽１８に湯水を供給している状態において、その浴槽１８への湯水の供給を停止させたときを、追焚用熱交換器７の漏れ異常検出タイミングとしている。
【００５４】
ちなみに、給湯操作手段Ｋの作動中とは、湯張り電磁弁２３を開弁させて、貯湯タンク３内の湯水を給湯路９から、湯張り路１７、風呂戻り路１９および風呂往き路２０を通して、浴槽１８に供給しているときであり、その給湯操作手段Ｋの作動を停止させたときとは、湯張り電磁弁２３を閉弁させているときである。
【００５５】
前記追焚用熱交換器７の漏れ異常検出タイミングにおいて、追焚用熱交換器７の漏れ異常が発生すると、追焚用熱交換器７において、風呂戻り路１９および風呂往き路２０内の湯水が給湯用湯水よりも低圧であるので、給湯用湯水が風呂戻り路１９および風呂往き路２０側に流入して、水位センサ５０による検出値に変化が生じることになる。
説明を加えると、浴槽１８に湯水が存在する場合には、給湯用湯水の風呂戻り路１９および風呂往き路２０側への流入によって、浴槽湯水の水位が上昇することになるので、水位センサ５０による検出値が上昇することになる。
また、浴槽１８に湯水が存在していない場合でも、浴槽１８の栓がされていれば、浴槽１８に湯水が存在する場合と同様に、浴槽湯水の水位が上昇し、浴槽１８の栓がされていないときでも、給湯用湯水が風呂戻り路１９および風呂往き路２０側に流入して、風呂戻り路１９および風呂往き路２０内が給湯用湯水にて満たされることになり、水位センサ５０による検出値が上昇することになる。
【００５６】
そして、追焚用熱交換器７の漏れ異常が発生すると、給湯用湯水の風呂戻り路１９および風呂往き路２０側への流入は連続的に生じ、その流入量も多いので、水位センサ５０による検出値の変化が連続して検出されかつその検出値の変化速度が設定速度よりも速くなる。
したがって、追焚用熱交換器７の漏れ異常検出タイミングにおいて、水位センサ５０による検出値の変化が連続して検出されかつその検出値の変化速度が設定速度よりも速ければ、追焚用熱交換器７の漏れ異常と判別できることになる。
【００５７】
ちなみに、浴室のカランの閉め忘れにより、カランから浴槽１８に湯水が供給されている場合には、漏れ異常検出タイミングにおいて、水位センサ５０による検出値に変化が生じることになる。
この場合には、リモコンＲにて報知することになるので、その報知により使用者が浴室にてカランを閉め忘れていないかどうかを確認することによって、漏れ異常検出タイミングにおける水位センサ５０による検出値の変化が、カランの閉め忘れによるものか、追焚用熱交換器７の漏れ異常によるものかを区別することができる。
したがって、リモコンＲの報知により、浴室にてカランを閉め忘れていないかどうかを確認することによって、使用者が追焚用熱交換器７の漏れ異常によりリモコンＲにて報知されているかどうかを判別することができることになる。
【００５８】
〔第２実施形態〕
この第２実施形態は、上記第１実施形態における追焚用熱交換器７の漏れ異常か否かの判別についての別実施形態を示すものであり、以下、追焚用熱交換器７の漏れ異常か否かの判別の構成について説明を加える。
なお、その他の構成については、上記第１実施形態と同様であるので、同符号を記すなどにより、その詳細な説明は省略する。
【００５９】
前記運転制御部Ｈは、前記漏れ異常検出タイミングにおいて、風呂ポンプ４９を作動させたあとの水位センサ５０による検出値の変化情報に基づいて、追焚用熱交換器７の漏れ異常を判別するように構成されている。
【００６０】
説明を加えると、運転制御部７が、漏れ異常検出タイミングにおいて、風呂ポンプ４９を作動させたあとの水位センサ５０による検出値の変化情報に基づいて、追焚用熱交換器７の漏れ異常を判別することにより、風呂ポンプ４９を作動させたあとの外乱を除いた状態で、追焚用熱交換器７の漏れ異常を判別できることになり、追焚用熱交換器７の漏れ異常を的確に検出できることになる。
【００６１】
また、例えば、浴槽１８が追焚用熱交換器７よりも高い位置に設置されている場合には、運転制御部Ｈが風呂ポンプ４９を作動させることにより、浴槽１８の栓がされていなければ、風呂戻り路１９および風呂往き路２０内に存在する湯水を浴槽１８内に排出して、風呂戻り路１９および風呂往き路２０内に存在する湯水の量を少なくすることができる。
そして、風呂戻り路１９および風呂往き路２０内に存在する湯水の量を少なくした状態では、追焚用熱交換器７の漏れ異常によって給湯用湯水が風呂戻り路１９および風呂往き路２０側に流入すると、風呂戻り路１９および風呂往き路２０内が給湯用湯水にて満たされ、水位センサ５０による検出値が明らかに上昇することになる。
したがって、浴槽１８が追焚用熱交換器７よりも高い位置に設置されている場合には、風呂戻り路１９および風呂往き路２０内に存在する湯水の量を少なくした状態において、水位センサ５０による検出値の変化情報に基づいて、追焚用熱交換器７の漏れ異常を判別できることになる。
【００６２】
〔第３実施形態〕
この第３実施形態は、上記第１実施形態における追焚用熱交換器７の漏れ異常か否かの判別についての別実施形態を示すものであり、以下、追焚用熱交換器７の漏れ異常か否かの判別の構成について説明を加える。
なお、その他の構成については、上記第１実施形態と同様であるので、同符号を記すなどにより、その詳細な説明は省略する。
【００６３】
前記風呂戻り路１９には、図３に示すように、追焚用熱交換器７の漏れによる湯水の流動を検出する漏水検出手段としての漏水センサ５４が設けられている。
そして、運転制御部Ｈは、漏れ異常検出タイミングにおいて、漏水センサ５４により風呂戻り路１９および風呂往き路２０での湯水の流動を連続して検出しかつその流動速度が設定速度よりも速ければ、追焚用熱交換器７の漏れ異常と判別するように構成されている。
【００６４】
ちなみに、この第３実施形態では、追焚用熱交換器７が浴槽１８よりも高い位置に設置され、浴槽１８の栓がされておらず、浴槽１８内に湯水が存在しない場合でも、追焚用熱交換器７の漏れ異常が発生すると、給湯用湯水が風呂戻り路１９や風呂往き路２０側に流入して風呂戻り路１９を流動することになるので、その給湯用湯水の流動を漏水センサ５４にて検出することができることになる。
したがって、追焚用熱交換器７が浴槽１８よりも高い位置に設置され、浴槽１８の栓がされておらず、浴槽１８内に湯水が存在しない場合でも、追焚用熱交換器７の漏れ異常を検出できることになる。
【００６５】
〔別実施形態〕
（１）上記第１および第２実施形態では、運転制御部Ｈが、漏れ異常検出タイミングにおいて、水位センサ５０による検出値の変化が連続して検出されかつその検出値の変化速度が設定速度よりも速ければ、追焚用熱交換器７の漏れ異常と判別するように構成されているが、運転制御部Ｈを、漏れ異常検出タイミングにおいて、水位センサ５０による検出値の変化が検出されかつその検出値の変化速度が設定速度よりも速ければ、追焚用熱交換器７の漏れ異常と判別するように構成したり、あるいは、運転制御部Ｈを、漏れ異常検出タイミングにおいて、水位センサ５０による検出値の変化が検出されると、追焚用熱交換器７の漏れ異常と判別するように構成することができる。
【００６６】
（２）上記第３実施形態では、運転制御部Ｈが、漏れ異常検出タイミングにおいて、漏水センサ５４により風呂戻り路１９および風呂往き路２０での湯水の流動を連続して検出しかつその流動速度が設定速度よりも速ければ、追焚用熱交換器７の漏れ異常と判別するように構成されているが、運転制御部Ｈを、漏れ異常検出タイミングにおいて、漏水センサ５４により湯水の流動が検出されかつその湯水の流動速度が設定速度よりも速ければ、追焚用熱交換器７の漏れ異常と判別するように構成したり、あるいは、運転制御部Ｈを、漏れ異常検出タイミングにおいて、漏水センサ５４により湯水の流動が検出されると、追焚用熱交換器７の漏れ異常と判別するように構成することができる。
【００６７】
（３）上記第１〜第３実施形態では、運転制御部Ｈが、給湯操作手段Ｋの作動中に、その給湯操作手段Ｋの作動を停止させたときを、追焚用熱交換器７の漏れ異常検出タイミングとして設定しているが、追焚用熱交換器７の漏れ異常検出タイミングとしては、本来、浴槽湯水または風呂循環路内の湯水の水位に変化がないときであればよい。
例えば、追焚用熱交換器７の漏れ異常検出タイミングを指令する人為操作式の指令スイッチを設けて、使用者が指令スイッチを操作したときを、追焚用熱交換器７の漏れ異常検出タイミングと設定したり、あるいは、浴槽湯水または風呂循環路内の湯水の水位に変化がない状態が設定時間継続したときを、追焚用熱交換器７の漏れ異常検出タイミングと設定することができる。
【００６８】
（４）上記第３実施形態では、漏水センサ５４を風呂戻り路１９のみに設けているが、風呂戻り路１９および風呂往き路２０の夫々に漏水センサ５４を設けて実施することもでき、漏水センサ５４の設置個数は２つ以上でもよい。
また、漏水センサ５４の設置位置についても、風呂循環経路中であれば、適宜変更が可能である。
【００６９】
そして、漏水センサ５４は、風呂循環路において湯水が流動したか否か検出するセンサや、風呂循環路における湯水の流動量を検出するセンサなど、湯水の流動を検出できるものであれば適応可能である。
【００７０】
（５）上記第１〜第３実施形態では、本願発明にかかる熱源装置を、追焚用熱交換器７に加えて、暖房用熱交換器６を設けたコージェネレーションシステムに適応した例を示したが、給湯用湯水にて浴槽湯水を加熱する熱交換器を備えたシステムであればよく、追焚用熱交換器７のみを設けたコージェネレーションシステムやその他各種の熱源装置に適応することができる。
【００７１】
（６）上記第１〜第３実施形態では、加熱手段として、ガスエンジンの排熱により給湯用湯水を加熱する排熱利用式加熱手段５ａと、ガス燃焼式の補助加熱手段５ｂとから構成したものを例示したが、排熱利用式加熱手段５ａを、燃料電池の排熱により給湯用湯水を加熱するように構成したり、補助加熱手段５ｂを、液体燃料燃焼式のバーナを備えたものや、電気ヒータを備えたものを用いることができ、排熱利用式加熱手段５ａおよび補助加熱手段５ｂの構成は適宜変更が可能である。
【図面の簡単な説明】
【図１】第１実施形態におけるコージェネレーションシステムの概略構成図
【図２】コージェネレーションシステムの制御ブロック図
【図３】第２実施形態におけるコージェネレーションシステムの概略構成図
【符号の説明】
４              熱源用循環路
５              加熱手段
７              浴槽湯水加熱用熱交換器
１９，２０      風呂循環路
３１            熱源循環手段
４９            風呂循環手段
５０            水位検出手段
５４            漏水検出手段
Ｈ              運転制御手段
Ｋ              浴槽湯水供給手段
【図１】
2004251592.tif 000003
【図２】
2004251592.tif 000004
【図３】
2004251592.tif 000005